(57)【要約】【課題】腰痛、坐骨痛を防止するコルセット機能と、膝痛を防止するサポーター機能を備えると共に、補正被覆材に鉱石粉末や炭素系粉末を含有させることによって、遠赤外線効果とマイナスイオン効果と消臭効果が同時に得られる健康スパッツの提供を図る。【解決手段】本発明の健康スパッツ１０は、身体の腰部から足首部までを覆被すると共に、該覆被される部位の一部に補正被覆材３０が内縫される健康スパッツ１０であって、該健康スパッツ１０は、伸縮性を有する合成樹脂繊維で編成されるスパッツ本体２０と、所用の柔軟性と伸縮性を有する発泡樹脂素材で形成される補正被覆材３０と、で構成されており、補正被覆材３０が、スパッツ本体２０の腹部前方を回避する腰廻り部２１と、大腿部２２ならびに膝部２３の外側部に内縫して形成される手段を採る。【選択図】図１
2017170099.tif 000002
【特許請求の範囲】
【請求項１】
身体の腰部から足首部までを覆被すると共に、該覆被される部位の一部に補正被覆材が内縫される健康スパッツであって、
前記健康スパッツは、伸縮性を有する合成樹脂繊維で編成されるスパッツ本体と、所用の柔軟性と伸縮性を有する発泡樹脂素材で形成される補正被覆材と、で構成されており、前記補正被覆材が、前記スパッツ本体の腹部前方を回避する腰廻り部と、大腿部ならびに膝部の外側部に内縫して形成されていることを特徴とする健康スパッツ。
【請求項２】
前記補正被覆材に、遠赤外線効果ならびにマイナスイオン効果を発生させる鉱石粉末を含有させたことを特徴とする請求項１記載の健康スパッツ。
【請求項３】
前記補正被覆材に、防臭効果を発生させる炭素系粉末を含有させたことを特徴とする請求項１または請求項２記載の健康スパッツ。
【請求項４】
前記補正被覆材に、通気性を高める通気孔を複数設けたことを特徴とする請求項１〜請求項３の何れか記載の健康スパッツ。
【発明の詳細な説明】
【技術分野】
【０００１】  本発明は、腰痛、坐骨痛を防止するコルセット機能と、膝痛を防止するサポーター機能を備えると共に、補正被覆材に鉱石粉末や炭素系粉末を含有させることによって、遠赤外線効果とマイナスイオン効果と消臭効果が同時に得られる健康スパッツに関する。
【背景技術】
【０００２】  近年において、運動不足や軟骨の減少、骨盤の傾き、背骨の歪み等の身体的要因によって、腰痛や、坐骨痛や、膝痛を発症する人達が年々増えてきている。そしてその症状を緩和する治療手段の一つとして、腰部を強く締める腰バンドや、骨盤の傾きや背骨の歪みを直す矯正ベルトや、遠赤外線やマイナスイオンを放出する健康下着などの様々な健康医療商品が提供されている。【０００３】  しかしながら、上記における腰痛や坐骨痛の症状においては、腸腰筋、大殿筋、中殿筋、小殿筋の凝りが起因するものであり、一方の膝痛の症状においては、大腿二等筋の凝りが起因していることが多く、それらは単なる腰バンドや、矯正ベルトで固定する方法では根本的な治療方法の解決には至らず、逆に固く締め付けることによって血行を阻害すると共に、恒久的に痛みを和らげることができないものであり、それらの問題点を安価且つ使い勝手の良い手段で解決することができる健康衣料品の提供が望まれていた。【０００４】  上記における健康衣料品の具体的な提案としては、例えば、全体が一体となっていて、伸縮性があり、腰部及び下肢を覆うスパッツを使用して、後背面から左腸骨、仙骨上方、そして右腸骨を通って、大臀筋の上部筋肉及び腰背筋膜の下部分を筋繊維方向に対して直角には横切らずに外腹斜筋の側面下方部分近傍に至る部分と、左右それぞれの大腿の恥骨結合、恥骨近傍から坐骨をとおり、大腿骨下方内股側へほぼまっすぐに伸びる部分で、大腿薄筋に筋繊維方向に沿うように伸び、また、大内転筋内腿側の筋繊維方向に対して直角には横切らずに、短内転筋、長内転筋、恥骨筋に至る部分と、腸骨稜付近から外腹斜筋側面下部および内腹斜筋側面下部を覆い、中臀筋、小臀筋を通り、大腿筋膜張筋の筋繊維に沿うように、大転子をとおり、腸脛靭帯の下方まで伸びる部分の三つの部分全部を共に、他の部分よりも特に緊締力の強い生地で構成した「要部を緊締力の強い生地で構成したスパッツ」（特許文献１）の提案がなされている。【０００５】  しかしながら、係る「要部を緊締力の強い生地で構成したスパッツ」の提案は、足裾部が膝部を覆被することなく大腿部を覆被する形状に留まっているため、該膝部を保護するサポーター機能が働かない構造となっている。【０００６】  また、本出願人による少なくとも腹部、臀部、大腿部、膝部を同時に覆うことが可能な伸縮力を有する被覆材により補正機能を有して腰痛、坐骨痛、膝痛を同時に防止又は緩和し、着脱が自由で排泄にも便利な「下着型健康コルセット」（特許文献２）の提案がなされている。【０００７】  しかしながら、係る「下着型健康コルセット」の提案は、前身頃が被覆材によって覆被されていないため、腰廻り部が十分に締め付けられない構造となっていることから、コルセット機能が十分に機能しない構造となっているものである。また、膝部全体が被覆材によって覆われているため膝部を曲げ伸ばししようとする際に被覆材自体によって膝部の曲げ伸ばしを阻害するような構造となっていることから、サポーター機能が十分に機能しない構造となっている。【０００８】  本出願人は、以上のような従来から提供されている健康衣料品におけるコルセット機能ならびにサポーター機能と、遠赤外線効果とマ���ナスイオン効果と消臭効果を発生させる構造に着目し、その問題を安価且つ使い勝手の良い手段で解決することができないものかという着想の下、腰痛、坐骨痛を防止するコルセット機能と、膝痛を防止するサポーター機能を備えると共に、補正被覆材に鉱石粉末や炭素系粉末を含有させることによって、遠赤外線効果とマイナスイオン効果と消臭効果が同時に得られる健康スパッツを開発し、本発明における「健康スパッツ」の提案に至るものである。
【先行技術文献】
【特許文献】
【０００９】
【特許文献１】特開２００３−３０６８１３号公報
【特許文献２】特開２００８−５０７３６号公報
【発明の概要】
【発明が解決しようとする課題】
【００１０】  本発明は上記問題点に鑑み、腰痛、坐骨痛を防止するコルセット機能と、膝痛を防止するサポーター機能を備えると共に、補正被覆材に鉱石粉末や炭素系粉末を含有させることによって、遠赤外線効果とマイナスイオン効果と消臭効果が同時に得られる健康スパッツの提供を図ることを課題とする。
【課題を解決するための手段】
【００１１】  本発明は上記課題を解決するためになされるもので、本発明の健康スパッツは、身体の腰部から足首部までを覆被すると共に、該覆被される部位の一部に補正被覆材が内縫される健康スパッツであって、前記健康スパッツは、伸縮性を有する合成樹脂繊維で編成されるスパッツ本体と、所用の柔軟性と伸縮性を有する発泡樹脂素材で形成される補正被覆材と、で構成されており、前記補正被覆材が、前記スパッツ本体の腹部前方を回避する腰廻り部と、大腿部ならびに膝部の外側部に内縫して形成されている手段を採る。【００１２】  また、本発明の健康スパッツは、前記補正被覆材に、遠赤外線効果ならびにマイナスイオン効果を発生させる鉱石粉末を含有させた手段を採る。【００１３】  また、本発明の健康スパッツは、前記補正被覆材に、防臭効果を発生させる炭素系粉末を含有させた手段を採る。【００１４】  また、本発明の健康スパッツは、前記補正被覆材に、通気性を高める通気孔を複数設けた手段を採る。
【発明の効果】
【００１５】  本発明の健康スパッツによれば、補正被覆材がスパッツ本体の腹部前方を回避する腰廻り部に内縫されることによって、血行と新陳代謝が促進されて腰痛、坐骨痛を防止することができると共に、身体の骨盤の傾きや、背骨の歪みが矯正されるコルセット機能と、補正被覆材が大腿部ならびに膝部の外側部に内縫されることによって、膝部の屈伸運動が助長されることで膝痛が防止されるサポーター機能を備えることができるといった優れた効果を奏する。【００１６】  また、本発明の健康スパッツによれば、補正被覆材が腰廻り部周辺から大腿部、膝部に亘って身体を被覆していることによって、身体の正しい姿勢と体形を維持する補正下着機能を備えることができるといった優れた効果を奏する。【００１７】  また、本発明の健康スパッツによれば、例えば、補正被覆材に黒トルマリン鉱石、リチア鉱石、ブリッダ鉱石等をブレンドした鉱石粉末を含有させることによって、遠赤外線効果とマイナスイオン効果が同時に得られるといった優れた効果を奏する。【００１８】  また、本発明の健康スパッツによれば、例えば、補正被覆材に木炭、竹炭、ヤシ殻活性炭等の炭素系粉末を含有させることによって、体臭や尿もれ臭を防止する防臭効果が得られるといった優れた効果を奏する。【００１９】  また、本発明の健康スパッツによれば、補正被覆材に複数の通気孔を設けることによって、健康スパッツ自体の通気性を高めることができると共に、遠赤外線効果と、マイナスイオン効果と、防臭効果の増進を同時に図ることができるといった優れた効果を奏する。
【図面の簡単な説明】
【００２０】
【図１】本発明における健康スパッツの実施形態を示す説明図である。（実施例１）
【図２】本発明における健康スパッツの別の実施形態を示す説明図である。（実施例２）
【図３】本発明における健康スパッツの別の実施形態を示す説明図である。（実施例３）
【図４】本発明における健康スパッツの別の実施形態を示す説明図である。（実施例４）
【発明を実施するため形態】
【００２１】  本発明は、腰痛、坐骨痛を防止するコルセット機能と、膝痛を防止するサポーター機能を備えると共に、補正被覆材３０に鉱石粉末３１や炭素系粉末３２を含有させることによって、遠赤外線効果とマイナスイオン効果と消臭効果が同時に得られる手段を採ったことを最大の特徴とする。以下、本発明の実施形態を、図面に基づいて説明する。
【００２２】  尚、本発明の健康スパッツ１０は、以下に述べる実施例に限定されるものではなく、本発明の技術的思想の範囲内、すなわち同一の作用効果を発揮できる形状及び寸法の範囲内で、適宜変更することができる。
【実施例１】
【００２３】  図１は、本発明における健康スパッツの実施形態を示す説明図である。
図１（ａ）は健康スパッツ１０の前面を示す全体斜視図である。
図１（ｂ）は健康スパッツ１０の後面を示す全体斜視図である。
本発明の健康スパッツ１０は、身体の腰部から足首部までを覆被すると共に、該覆被される部位の一部に補正被覆材３０が内縫される健康スパッツ１０であって、健康スパッツ１０は、伸縮性を有する合成樹脂繊維で編成されるスパッツ本体２０と、所用の柔軟性と伸縮性を有する発泡樹脂素材で形成される補正被覆材３０と、で構成されており、補正被覆材３０が、スパッツ本体２０の腹部前方を回避する腰廻り部２１と、大腿部２２ならびに膝部２３の外側部に内縫して形成される。【００２４】  スパッツ本体２０は、伸縮性と通気性を有する合成繊維生地で編成され、その生地に合成ゴムや形状記憶ポリマーからなる繊維を編成させて伸縮力を強くした生地を使用して身体の腰部から足首部までを覆被する形状に形成される。【００２５】  補正被覆材３０は、所用の柔軟性と伸縮性を有する発泡樹脂素材（例えば、ウレタンフォーム）などで形成することによって、腰痛、坐骨痛を防止するコルセット機能を備えるもので、スパッツ本体２０の腹部前方を回避する腰廻り部２１に内縫して形成されている。また、スパッツ本体２０の大腿部２２ならびに膝部２３の外側部に内縫することによって、コルセット機能に加えて膝痛を防止するサポーター機能も同時に備えることができる。【００２６】  以上で構成される本発明の健康スパッツ１０は、補正被覆材３０がスパッツ本体２０の腹部前方を回避する腰廻り部２１に内縫されることによって、血行と新陳代謝が促進されて腰痛、坐骨痛を防止することができると共に、身体の骨盤の傾きや、背骨の歪みが矯正されるコルセット機能と、補正被覆材３０が大腿部２２ならびに膝部２３の外側部に内縫されることによって、膝部２３の屈伸運動が助長されることで膝痛が防止されるサポーター機能を備えて形成される。
【実施例２】
【００２７】  図２は、本発明における健康スパッツの別の実施形態を示す説明図である。
図２（ａ）は健康スパッツ１０の前面を示す全体斜視図である。
図２（ｂ）は健康スパッツ１０の後面を示す全体斜視図である。
本発明の健康スパッツ１０は、補正被覆材３０が、遠赤外線効果ならびにマイナスイオン効果を発生させる鉱石粉末３１を含有させて形成される。【００２８】  鉱石粉末３１は、例えば、黒トルマリン鉱石、リチア鉱石、ブリッダ鉱石等をブレンドしたものを用いて遠赤外線効果ならびにマイナスイオン効果を同時に発生させることができる。
尚、遠赤外線効果ならびにマイナスイオン効果を発生させる物質としては、特に上記の物質に限定するものではない。【００２９】  以上で構成される本発明の健康スパッツ１０は、補正被覆材３０に黒トルマリン鉱石、リチア鉱石、ブリッダ鉱石などの鉱石粉末３１を含有させることによって、遠赤外線効果とマイナスイオン効果を同時に発生させることができる。
【実施例３】
【００３０】  図３は、本発明における健康スパッツの別の実施形態を示す説明図である。
図３（ａ）は健康スパッツ１０の前面を示す全体斜視図である。
図３（ｂ）は健康スパッツ１０の後面を示す全体斜視図である。
本発明の健康スパッツ１０は、防臭効果を発生させる炭素系粉末３２を含有させて形成される。【００３１】  炭素系粉末３２は、例えば、木炭、竹炭、ヤシ殻活性炭などの炭素系の粉末素材が用いられ、補正被覆材３０に含有させて形成される。【００３２】  以上で構成される本発明の健康スパッツ１０は、補正被覆材３０に木炭、竹炭、ヤシ殻活性炭などの炭素系粉末３２を含有させることによって、体臭や尿もれ臭を防止する防臭効果を得ることができる。
【実施例４】
【００３３】  図４は、本発明における健康スパッツの別の実施形態を示す説明図である。
図示される形態は、本発明の健康スパッツ１０の布地に通気孔３３を複数設けた状態を模式的に作図したものである。
本発明の健康スパッツ１０は、補正被覆材３０に、通気性を高める通気孔３３を複数設けて形成される。【００３４】  通気孔３３は、補正被覆材３０の表面に複数穿設される形状に形成される。また、健康スパッツ１０自体をメッシュ状にして通気性を高めることもできる。【００３５】  以上で構成される本発明の健康スパッツ１０は、補正被覆材３０に複数の通気孔３３を設けることによって、健康スパッツ１０の全体の通気性を高めることができると共
共に、遠赤外線効果と、マイナスイオン効果と、防臭効果の増進を同時に図ることができる。
【産業上の利用可能性】
【００３６】  本発明における健康スパッツは、腰痛、坐骨痛を防止するコルセット機能と、膝痛を防止するサポーター機能を備えると共に、遠赤外線効果とマイナスイオン効果と消臭効果が同時に得ることができることから、本発明における「健康スパッツ」の産業上の利用可能性は極めて大である。
【符号の説明】
【００３７】１０  健康スパッツ
２０  スパッツ本体
２１  腰廻り部
２２  大腿部
２３  膝部
３０  補正被覆材
３１  鉱石粉末
３２  炭素系粉末
３３  通気孔
【図１】
2017170099.tif 000003
【図２】
2017170099.tif 000004
【図３】
2017170099.tif 000005
【図４】
2017170099.tif 000006